(57)【要約】【課題】２本の消火ホースを接続するための滑りリングを備えたカップリング装置を提供する。【解決手段】フランジ部(１２)とスリーブ部（１３）を備えた内側フランジ部（４）で、該フランジ部分は中間に少なくとも１個のシール材(１５）を介在して、同様なカップリング装置（３）に対して支持され、スリーブ部（１３）は消火ホース（１）のホース端部（１８）挿入されており、周囲に把持用の突出部（１０）を備え、前記内側フランジ部（４）の周りに回転できる外側リング（５）で、他のカップリング装置（３）の外側部分にかみ合うことが可能な結合手段（９）と、ホース端部（１８）を周包し、中心方向に加圧してスリーブ（１３）に固定される滑りリング（６）で、その外面は最大の直径から最少の直径に減少するが、その直径はホースの直径よりもわずかに大きい直径の滑りリング（６）を備え、前記滑りリングは最大の直径（Ｄ)から最少の直径（ｄ）まで減少し、前記外側リング（５）の近傍で最大の直径となり、前記滑りリング（６）の内側とスリーブ（１３）の外側との間に環状空間が存在し、その空間にホース端部（１８）が挿入されているカップリング装置。【選択図】図１
2004520554.tif 000002
【特許請求の範囲】
【請求項１】
２本の消火ホースを接続するための滑りリングを備えたカップリング装置であって、
フランジ部(１２)とスリーブ部（１３）を備えた内側フランジ部（４）で、該フランジ部分は中間に少なくとも１個のシール材(１５）を介在して、同様なカップリング装置（３）に対して支持され、スリーブ部（１３）は消火ホース（１）のホース端部（１８）挿入されており、
周囲に把持用の突出部（１０）を備え、前記内側フランジ部（４）の周りに回転できる外側リング（５）で、他のカップリング装置（３）の外側部分にかみ合うことが可能な結合手段（９）と、
ホース端部（１８）を周包し、中心方向に加圧してスリーブ（１３）に固定される滑りリング（６）で、その外面は最大の直径から最少の直径に減少するが、その直径はホースの直径よりもわずかに大きい直径の滑りリング（６）を備え、
前記滑りリングは最大の直径（Ｄ)から最少の直径（ｄ）まで減少し、前記外側リング（５）の近傍で最大の直径となり、前記滑りリング（６）の内側とスリーブ（１３）の外側との間に環状空間が存在し、その空間にホース端部（１８）が挿入されている、ことを特徴とするカップリング装置。
【請求項２】
前記滑りリング（６）は、互いに引っ張り合う半割のシェル（６a，６b）で構成されていることを特徴とする請求項１記載カップリング装置。
【請求項３】
前記滑りリング（６）の外面はコーン状であることを特徴とする請求項１又は２記載のカップリング装置。
【請求項４】
前記滑りリング（６）は、内側に延長部を備え、その延長部にホース端部（１８）の断面を押し付け力で押し込むことができることを特徴とする請求項１から３のいずれかに記載のカップリング装置。
【請求項５】
前記半割のシェル（６a，６b）は、互いに対称形であることを特徴とする請求項１から４のいずれかに記載のカップリング装置。
【請求項６】
前記半割りのシェル（６a，６b）は、直角方向のねじ（１９）で互いに支持されていることを特徴とする請求項２から５記載のカップリング装置。
【請求項７】
前記滑りリング（６）は、前記外側リング（５）に挿入された同心円状のバンド部（２０）を備え、その直径は滑りリング（６)の外表面の最大直径(Ｄ)よりも小さいことを特徴とする請求項１から６のいずれかに記載のカップリング装置。
【請求項８】
前記滑りリング（６）の最大直径（Ｄ）は、前記把持用の突出部（１０）のベース直径（Ｄ１）よりも大きいことを特徴とする請求項１から７のいずれかに記載のカップリング装置。
【請求項９】
前記滑りリング（６）の最大直径（Ｄ）は、前記把持用の突出部（１０）の外側直径（Ｄ２）よりも小さいことを特徴とする請求項８に記載のカップリング装置。
【発明の詳細な説明】
【技術分野】
【０００１】
本発明は、２本の消火ホースを接続するためのカップリング装置に関する。
【背景技術】
【０００２】
従来の消火ホースは、以下のような構造である。
２本の消火ホースを接続するための滑りリングを備えたカップリング装置は、フランジ部分とスリーブ部を備えた内側フランジ部で、該フランジ部分は中間に少なくとも１個のシール材を介在して、同様なカップリング装置に対して支持され、スリーブ部は消火ホースのホース端部に挿入されている。
【０００３】
また、周囲に把持用の突出部を備え、前記内側フランジ部の周りに回転できる外側リングで、他のカップリング装置の外側部分にかみ合うことが可能なカップリング装置手段を備え、ホース端部を周包し、中心方向に加圧してスリーブに固定する滑りリングで、その外面は最大の直径から最少の直径で減少するが、その直径はホースの直径よりもわずかに大きくなっている。
【０００４】
消火ホースの接続においては最大の迅速性と、カップリング装置部材の強固な構造が重要である。
更に、カップリング装置の各部材は内側フランジ部分とその外側で回転可能に周包する外周部であって形状がそれぞれ他のカップリング装置部材と適切に嵌合でき、バイヨネット状の結合手段として構成された外側部分とから構成される。
【０００５】
操作の容易性と特に取扱い性から、上記外部部分の直径はホース端部を支持する内部部分よりも明確に大きくなっている。ドイツ連邦共和国において専門消防士とボランティヤ消防士が使用しているＣ−ホースは１５ｍの長さがあり、このホースは直径を測定をすると約２６ｍｍのばらつきがある。
【０００６】
消火活動の実際面において、カップリング装置が、例えば階段、柱、角等で引っかかると、問題が生ずる。このような場合には火煙のある空間で呼吸マスクを装着して、生命の危険がある消防士が活動する場所から既に通過した位置に再び戻ることを困難にし、障害物にからまったカップリング装置を解き、障害物を乗り越えて移動することを困難にする。
【０００７】
上記特徴がある２本のホースを接続するカップリング装置は、ＤＥ２９７１５７２５Ｕ１規格があることが知られている。例えば、床に這っている消火ホースを保護し、カップリング装置を接続するためには、従来技術としてユニオン継手が設けられており、このナットはカップリング装置の内部のねじにねじ込まれる。ホースの端部をカップリング装置に固定する機能に関して、ユニオン継手は二つの部分からなるクランプ装置であり、更にユニオン継手の内部設けられたフレキシブルな分割テーパスリーブが設けられている。
【０００８】
ユニオン継手が、カップリング装置の内部に対してねじにより引っ張られると、分割テーパスリーブ傾斜面に傾斜した圧力を加え、そのため消火ホース端部に締め付け力が生ずる。このような締め付け技術は、比較的過大な組み立て作業と分解作業を必要とする。更に、ユニオン継手を引っ張るためのねじは汚染されやすく、そのため消火ホースの組み立てと分解は更に困難となる。
【０００９】
ＤＥ２９７１５７２５Ｕ１規格によるカップリング装置の欠点は、消火ホースを障害物、特に角部に引っかかる可能性がある点である。ホースよりも大きな直径のユニオン継手を用いるとこの問題はある程度改善される。しかし、この場合、角部、階段等の障害に引っかかることは現実的には防止されない。
【発明の開示】
【発明が解決しようとする課題】
【００１０】
従って、本発明では、消火ホースを引張る際に角部、階段部等の障害部でひっかることがなく、更に簡単にカップリング装置の内部にホース端部を固定することができるカップリング装置を提供することである。
【課題を解決するための手段】
【００１１】
上記課題を解決するため、下記の発明を提供する。即ち、先に述べたような特徴を備えたカップリング装置を提案する。この特徴は、最大の直径を有する滑りリングから該滑りリングの外側面が外側リングの近傍で最少の直径まで減少し、該滑りリングの内側とスリーブ部の外側でリング状の間隙を構成し、その間隙にホース端部が挿入される構造を備えている。
【００１２】
本発明における前記滑りリングの外面構造のために、消火ホースホースに引張り荷重がかかった場合に、障害物に引っかからない利点がある。該滑りリングは更に、ホース端部に中心軸方向の締め付け力要素として機能する。そして、滑りリングはカップリング装置の内側フランジ部に消火ホースを固定し、滑りリングは望ましくは互いに押し付けあう半割りのシェルから構成され、スリーブ部の外側とシェル内側とでリング状の空間を構成し、その間にホース端部を収容する。実務上ホース端部を多重に巻いている線材で固定する方法は、このような手法により排除することができる。
【００１３】
カップリング装置の他の態様は、滑りリングは円錐形とすることができる。また、発明の他の態様においては、滑りリングには、少なくとも１個のねじを設け、このねじに対してホース端部の断面が挿入される。このようにして、良好で、滑りにくく、適正な形状のホース端部と内側フランジ部との接合がえられ、消火ホース端部における大きな引張り荷重に耐えることができる。
【００１４】
望ましくは、滑りリングを構成する２個の半割りのシェルは、直角方向のねじで互いに接合される。かかる方法により、スリーブ部にホース端部を摩擦力があるように簡単にかつ迅速に固定することができる。
更に、滑りリングは円形のバンドを外側に設けることができ、その滑りリングの外面の最大直径よりも小さくする。このようなバンドにより内部フランジ部と滑りリングとの圧力面を延長することができ、より長いホース断面を締め付けることができ、更に結合が改善され、より高い引張り力に耐えることができる。
【００１５】
滑りリングの最大直径が、突き出した掴み突出部のベース直径より大きく掴み突出部よりも小さいことは望ましい。このように、突出部の良好な把持が保たれ、突出部は手袋で掴むことができ、またカップリング装置の締め付けのための回転が可能となる。
【発明の効果】
【００１６】
本発明における滑りリングの円錐状の外面構造により、消火ホースホースに引張り荷重がかかった場合に、障害物に引っかからない利点がある。また、この滑りリングは更に、ホース端部に中心軸方向の締め付け力要素としても機能する。
【発明を実施するための最良の形態】
【００１７】
更なる詳細は、図面に記載された番号を参照して述べる。図面においては、互いに結合される２個のカップリング装置の断面図が表示されている。互いに接続される消火ホース１は端部においてカップリング装置２と３を備えている。２個のカップリング装置２，３の接合はバイオネット締め付け構造で行われる。消火ホース１は強化された耐圧力性の編んだ繊維状のホースである。
【００１８】
カップリングされる２個のカップリング装置２，３は、各々３個部分からなり、即ち、鋳鉄製の内部フランジ４、同じく鋳鉄製の外側リング５と内側リング上に配置された滑りリングとから構成されている。外側リング５は、リング構造であり、カップリング装置が開放された状態では、内側リング４のシリンダ状のベース部７で自由に回転できる。このベース部７は、リング状の突当たり部８と接続しており、これを超えて外側フランジ５は内側リング４に対して締め付け力を作用させる。
【００１９】
対応する外側リング５間の締め付け（ロック）はバイオネットによる回転締め付けで行われ、図面ではかぎ部材９が図示されており、このかぎ部材は対応して他の外側リング内に切込むように設けられたナットに挿入される。外側リング５は、更にその周囲に設けられた掴み突出部１０で、長手方向に伸びるつばを備え、外側リングが接続し、カップリング装置を構成するために回転される。突出部１０は各々突出した鍔からなり、カップリング装置の中心軸に平行に配置されている。
【００２０】
望ましくは、一体に構成される内側フランジ部４は、フランジ部１２からなり、この部分に外側リング５のためのベース部７と突当たり部８、及びスリーブ部１３が形成されている。フランジ部１２の前面１４には、溝が切り込まれており、この部分にシール材１５が配置されている。このシ−ル材は、対応するカップリング装置のシール材と共同してカップリング装置の水漏れを防止する。
【００２１】
スリーブ部１３は、フランジ部１２より直径が小さく、フランジ部よりも長い。スリーブ部１３の外面には複数の溝が設けられ、図示した例においては２個の平面的な溝１６a、１６bが設けられている。溝１６a、１６bの軸方向の長さ部分の滑りリングには、平面的に突き出たバンド部１７a、１７bが設けられている。このように構成された滑りリング６は、スリーブ部の外周よりも少し大きな外周となっており、そのため消火ホース１のホース端部１８受けるリング状の溝を形成する。この部分においてホース端部１８は固定され、締め付け力として作用する滑りリング６は、ホース端部１８に外側から圧力を作用させる。
【００２２】
さらに、滑りリング６は、図示されていないが、２個の同一形状の半割りシェル６a,６bから構成され、全体として１個のリングを構成する。半割のシェルを貫通するねじ１９により、締め付けられ、同時にスリーブ部１３の外側にホース端部を締め付ける。ホース端部は、内側リング４のスリーブ部に対して摩擦力と形状性により固定される。滑りリング６は、その突当たり面６ｃでフランジ部１２の軸方向の肩部１２aを支持することもできる。
【００２３】
滑りリング６はその外側面は円錐状に形成され、外側リング５の近傍で最大の直径をとり、最少の直径ｄまで減少するが、消火ホース１の直径よりもわずかに大きい。最大の直径Ｄから最少の直径ｄまで連続的に減少し、その間に段差、肩部等を有しない。望ましくは、外側リング５の近傍で、滑りリング６はベース部の直径Ｄ１より大きな最大直径Ｄとなるが、掴み部突起１０の直径Ｄ２よりは小さい。
【００２４】
このようにして、滑りリング６の大きな直径は、外側リング５の端部方向の丸くなっている掴み突出部１０の掴み易さを損なうことはない。滑りリング６の外面は、望ましくは平滑で、円錐形である。しかし、滑りリングの外面は個々の半径方向に突き出た網目を形成し、円錐の輪郭とすることも可能である。この枠はアルミニウムまたは合成樹脂を吹き付けし、堅固で回転する円錐として構成できる。
【００２５】
ねじ１９は、その頭部が埋設され、突き出ているが滑りリングの円錐から突き出ていない。ねじ１９は、カップリング装置接続の中心軸１１と直角方向に伸びている。
【図面の簡単な説明】
【００２６】
【図１】本発明の消火ホースの長手方向断面図である。
【符号の説明】
【００２７】
１      消火ホース
２      カップリング装置
３      接続されるカップリング装置
４      カップリング装置の内側フランジ部
５      外側リング
６      滑りリング
６ｃ    突当たり面
６ａ    半割りのシェル
６ｂ    半割りのシェル
７      ベース部
８      突当たり部
９      結合手段
１０    掴み突出部
１１    中心軸
１２    フランジ部
１２ａ  フランジ断面
１３    スリーブ部
１４    突当たり面
１５    シール
１６ａ  溝
１６ｂ  溝
１７ａ  バンド部
１７ｂ  バンド部
１８    ホース端部
１９    ねじ
２０    滑りリングの円形バンド
【国際公開パンフレット】
2004520554.tif 000003
2004520554.tif 000004
2004520554.tif 000005
2004520554.tif 000006
2004520554.tif 000007
2004520554.tif 000008
2004520554.tif 000009
2004520554.tif 000010
2004520554.tif 000011
2004520554.tif 000012
2004520554.tif 000013
2004520554.tif 000014
【国際調査報告】
2004520554.tif 000015
2004520554.tif 000016
2004520554.tif 000017
2004520554.tif 000018